(57)【要約】      （修正有）【課題】コケ植生マットを折板屋根の上に貼り付ける際、コケ植生マットが風圧によって浮き上がるのを抑えると共に敷設状態を安定させ、かつ折板屋根に対して簡単に施工することができる折板屋根用コケ植生マット及び折板屋根のコケ緑化構造の提供。【解決手段】左右の傾斜壁１１，１１と頂壁１２とで台形状に形成された山部１ａと、前記左右の傾斜壁１１，１１と底壁１３とで逆台形状に形成された溝部１ｂが交互に形成された断面波形状の折板屋根Ｒに敷設させるコケ植生マットＭであり、頂壁１２に敷設するための頂面用マット部材２１の両側に左右の傾斜壁１１，１１に敷設するための左右の傾斜面用マット部材２２，２２がヒンジ２３によって屈折可能に連結されている。【選択図】  図１
2009034002.tif 000002
【特許請求の範囲】
【請求項１】
左右の傾斜壁（１１），（１１）と頂壁（１２）とで台形状に形成された山部（１ａ）と、前記左右の傾斜壁（１１），（１１）と底壁（１３）とで逆台形状に形成された溝部（１ｂ）が交互に形成された断面波形状の折板屋根（Ｒ）に敷設させるコケ植生マット（Ｍ）であり、
前記頂壁（１２）に敷設するための頂面用マット部材（２１）の両側に前記左右の傾斜壁（１１），（１１）に敷設するための左右の傾斜面用マット部材（２２），（２２）がヒンジ（２３）によって屈折可能に連結されていることを特徴とする折板屋根用コケ植生マット。
【請求項２】
左右の傾斜壁（１１），（１１）と頂壁（１２）とで台形状に形成された山部（１ａ）と、前記左右の傾斜壁（１１），（１１）と底壁（１３）とで逆台形状に形成された溝部（１ｂ）が交互に形成された断面波形状の折板屋根（Ｒ）に敷設させるコケ植生マット（Ｎ）であり、
前記底壁（１３）に敷設するための底面用マット部材（２５）の両側に前記左右の傾斜壁（１１），（１１）に敷設するための左右の傾斜面用マット部材（２２），（２２）がヒンジ（２３）によって屈折可能に連結されていることを特徴とする折板屋根用コケ植生マット。
【請求項３】
左右の傾斜壁（１１），（１１）と頂壁（１２）とで台形状に形成された山部（１ａ）と、前記左右の傾斜壁（１１），（１１）と底壁（１３）とで逆台形状に形成された溝部（１ｂ）が交互に形成された断面波形状の折板屋根（Ｒ）を対象としたコケ緑化構造であり、
前記頂壁（１２）に敷設するための頂面用マット部材（２１）の両側に前記左右の傾斜壁（１１），（１１）に敷設するための左右の傾斜面用マット部材（２２），（２２）がヒンジ（２３）によって屈折可能に連結されている折板屋根用コケ植生マット（Ｍ）を備え、
前記頂壁（１２）に折板屋根用コケ植生マット（Ｍ）の頂面用マット部材（２１）が直に敷設され、前記左右の傾斜壁（１１），（１１）に左右の傾斜面用マット部材（２２），（２２）が直に敷設されていることを特徴とする折板屋根のコケ緑化構造。
【請求項４】
左右の傾斜壁（１１），（１１）と頂壁（１２）とで台形状に形成された山部（１ａ）と、前記左右の傾斜壁（１１），（１１）と底壁（１３）とで逆台形状に形成された溝部（１ｂ）が交互に形成された断面波形状の折板屋根（Ｒ）を対象としたコケ緑化構造であり、
前記底壁（１３）に敷設するための底面用マット部材（２５）の両側に前記左右の傾斜壁（１１），（１１）に敷設するための左右の傾斜面用マット部材（２２），（２２）がヒンジ（２３）によって屈折可能に連結されている折板屋根用コケ植生マット（Ｎ）を備え、
前記底壁（１３）に折板屋根用コケ植生マット（Ｎ）の底面用マット部材（２５）が直に敷設され、前記左右の傾斜壁（１１），（１１）に左右の傾斜面用マット部材（２２），（２２）が直に敷設されていることを特徴とする折板屋根のコケ緑化構造。
【発明の詳細な説明】
【技術分野】
【０００１】
本発明は、折板屋根に敷設させるコケ植生マット（折板屋根用コケ植生マット）及び折板屋根を対象としたコケ緑化構造（折板屋根のコケ緑化構造）に関する。
【背景技術】
【０００２】
折板屋根は、左右の傾斜壁と頂壁とで台形状に形成された山部と、前記左右の傾斜壁と底壁とで逆台形状に形成された溝部が交互に形成された断面波形状に形成されている。
このような折板屋根を対象とした緑化構造として、従来、折板屋根の山部の頂壁に支持フレームを設け、この支持フレームの上に網状部材を介してコケ植生マットを平面状に敷設したものが知られている（特許文献１参照）。
【０００３】
しかしながら、従来のように、コケ植生マットが折板屋根の山部の頂壁上に平面状に敷設されるものでは、折板屋根の溝部の上方がコケ植生マットによって塞がれるため、この溝部に流入した風の圧力によってコケ植生マットが下から押上げられて浮き上がり、吹き飛ばされてしまうことがあるという問題があった。
また、溝部の上方ではコケ植生マットが山部の頂壁と頂壁との間に渡された架設状態になるため、その敷設状態が不安定になるし、折板屋根の山部の頂壁に支持フレームや網状部材を取り付ける必要があり、施工に手間かがかかるという問題があった。
【特許文献１】特許公開特許公開２００７−１８１４７０号公報
【発明の開示】
【発明が解決しようとする課題】
【０００４】
本発明は、コケ植生マットを折板屋根の上に直接に貼り付ける状態に敷設することで、このコケ植生マットが風圧によって浮き上がるのを抑えると共に敷設状態を安定させ、かつ折板屋根に対して簡単に施工することができる折板屋根用コケ植生マット及び折板屋根のコケ緑化構造を提供することを課題としている。
【課題を解決するための手段】
【０００５】
上記の課題を解決するために、本発明（請求項１）の折板屋根用コケ植生マットは、
左右の傾斜壁（１１），（１１）と頂壁（１２）とで台形状に形成された山部（１ａ）と、前記左右の傾斜壁（１１），（１１）と底壁（１３）とで逆台形状に形成された溝部（１ｂ）が交互に形成された断面波形状の折板屋根（Ｒ）に敷設させるコケ植生マット（Ｍ）であり、
前記頂壁（１２）に敷設するための頂面用マット部材（２１）の両側に前記左右の傾斜壁（１１），（１１）に敷設するための左右の傾斜面用マット部材（２２），（２２）がヒンジ（２３）によって屈折可能に連結されている構成とした。
【０００６】
又、本発明（請求項２）の折板屋根用コケ植生マットは、
左右の傾斜壁（１１），（１１）と頂壁（１２）とで台形状に形成された山部（１ａ）と、前記左右の傾斜壁（１１），（１１）と底壁（１３）とで逆台形状に形成された溝部（１ｂ）が交互に形成された断面波形状の折板屋根（Ｒ）に敷設させるコケ植生マット（Ｎ）であり、
前記底壁（１３）に敷設するための底面用マット部材（２５）の両側に前記左右の傾斜壁（１１），（１１）に敷設するための左右の傾斜面用マット部材（２２），（２２）がヒンジ（２３）によって屈折可能に連結されている構成とした。
【０００７】
又、本発明（請求項３）の折板屋根のコケ緑化構造は、
左右の傾斜壁（１１），（１１）と頂壁（１２）とで台形状に形成された山部（１ａ）と、前記左右の傾斜壁（１１），（１１）と底壁（１３）とで逆台形状に形成された溝部（１ｂ）が交互に形成された断面波形状の折板屋根（Ｒ）を対象としたコケ緑化構造であり、
前記頂壁（１２）に敷設するための頂面用マット部材（２１）の両側に前記左右の傾斜壁（１１），（１１）に敷設するための左右の傾斜面用マット部材（２２），（２２）がヒンジ（２３）によって屈折可能に連結されている折板屋根用コケ植生マット（Ｍ）を備え、
前記頂壁（１２）に折板屋根用コケ植生マット（Ｍ）の頂面用マット部材（２１）が直に敷設され、前記左右の傾斜壁（１１），（１１）に左右の傾斜面用マット部材（２２），（２２）が直に敷設されている構成とした。
【０００８】
又、本発明（請求項４）の折板屋根のコケ緑化構造は、
左右の傾斜壁（１１），（１１）と頂壁（１２）とで台形状に形成された山部（１ａ）と、前記左右の傾斜壁（１１），（１１）と底壁（１３）とで逆台形状に形成された溝部（１ｂ）が交互に形成された断面波形状の折板屋根（Ｒ）を対象としたコケ緑化構造であり、
前記底壁（１３）に敷設するための底面用マット部材（２５）の両側に前記左右の傾斜壁（１１），（１１）に敷設するための左右の傾斜面用マット部材（２２），（２２）がヒンジ（２３）によって屈折可能に連結されている折板屋根用コケ植生マット（Ｎ）を備え、
前記底壁（１３）に折板屋根用コケ植生マット（Ｎ）の底面用マット部材（２５）が直に敷設され、前記左右の傾斜壁（１１），（１１）に左右の傾斜面用マット部材（２２），（２２）が直に敷設されている構成とした。
【０００９】
なお、上記カッコ内の符号は、後述する実施例に記載した具体的手段との対応関係を示すものである。
【発明の効果】
【００１０】
本発明の折板屋根用コケ植生マット（請求項１、２）及び折板屋根のコケ緑化構造（請求項３、４）は、頂面用マット部材（又は底面用マット部材）の両側に左右の傾斜面用マット部材がヒンジによって屈折可能に連結されたものである。
この折板屋根用コケ植生マットは、常時は（コケ育成時、保管時、管理時、運搬時等）、頂面用マット部材（又は底面用マット部材）の両側に左右の傾斜面用マット部材を平面的に展開させた状態にしておく。
施工に際しては、頂面用マット部材（又は底面用マット部材）を折板屋根における頂壁の上面（又は底壁の上面）に直に敷設させると共に、左右の傾斜面用マット部材をヒンジを介して上向き傾斜状態（又は下向き傾斜状態）に屈折させながらそれぞれ傾斜壁の外面に直に敷設させるもので、この際、各マット部材を各壁面に密着させる状態に接着剤や固定具等を用いて直に貼り付けてもよいし、折り曲げ状態のまま各マット部材を各壁面に密着させる状態に載置させるだけでもよい。
【００１１】
このように、折板屋根用コケ植生マットは、頂面用マット部材（又は底面用マット部材）の両側に左右の傾斜面用マット部材がヒンジによって屈折可能に連結されたものである。
従って、折板屋根の断面波形状に対応して各マット部材を屈折させれば、各マット部材を各壁面に容易に敷設させることができ、簡単に施工することができる。
又、この折板屋根用コケ植生マットは、各マット部材を各壁面に直に敷設させるものであるため、風圧によってコケ植生マットが壁面に押え付けられる状態になり、コケ植生マットが風圧によって浮き上がるのを抑えて敷設状態を安定させることができる。
なお、頂面用マット部材（又は底面用マット部材）と左右の傾斜面用マット部材はヒンジによって連結され、施工状態では台形状（又は逆台形状）に屈曲しているため、その長さ方向（図１の矢印Ｂ方向）に捻じれが生じたり、波打ち変形したりすることがない。
【００１２】
なお、請求項３のコケ緑化構造にあっては、コケ植生マットが頂面用マット部材と左右の傾斜面用マット部材で形成されている。
従って、折板屋根の底壁にコケ植生マットが敷設されずに底壁が露出したままの構造であるため、溝部を流下する雨水の流れに対してコケ植生マットが障害になるのを防止でき、雨水をスムーズに流下させることができる。
【００１３】
又、請求項４のコケ緑化構造にあっては、折板屋根の頂壁にコケ植生マットが敷設されずに頂壁が露出したままの構造であるため、この頂壁を足の踏み場として利用することができ、保守管理を行なうに際しコケ植生マットを踏み付けることなく折板屋根の上を歩行することができる。
【発明を実施するための最良の形態】
【００１４】
図１〜図３は第１実施例を示すものであり、図１は請求項１に対応した折板屋根用コケ植生マット及び請求項３に対応した折板屋根のコケ緑化構造を示す斜視図、図2は折板屋根用コケ植生マットの展開状態を示す斜視図、図３は折板屋根用コケ植生マットの断面図である。
【００１５】
本実施例のコケ緑化構造は、折板屋根Ｒを緑化の対象としている。
折板屋根Ｒは、左右の傾斜壁１１，１１と頂壁１２とで台形状に形成された山部１ａと、前記左右の傾斜壁１１，１１と底壁１３とで逆台形状に形成された溝部１ｂが波方向（図１の矢印Ａ方向）に交互に形成された断面波形状に形成されている。
この折板屋根Ｒは、台形状の山部１ａと逆台形状の溝部１ｂを交互に形成した波状折板を屋根板部材として用い、この波状折板を前記山部１ａ及び溝部１ｂが筋方向（図１の矢印Ｂ方向）へ延長するように、躯体フレーム９０に取り付けたタイトフレーム９１に剣先ボルト９２とナットを介して取り付けることにより形成されている。
このほか、逆台形状に折り曲げた折板を用い、隣接する折板同士の山部を重ね合わせたり、はぜ締めしたりして形成した折板屋根に本発明のコケ緑化構造を適用することができる。
【００１６】
折板屋根用コケ植生マットＭは、前記折板屋根Ｒにおける頂壁１２の上面に敷設するための頂面用マット部材２１と、前記折板屋根Ｒにおける左右の傾斜壁１１，１１の上向き傾斜面に敷設するための左右の傾斜面用マット部材２２，２２を備え、この左右の傾斜面用マット部材２２，２２がヒンジ２３，２３によって頂面用マット部材２１の両側に屈折可能に連結されている。
【００１７】
この場合、前記頂面用マット部材２１及び傾斜面用マット部材２２，２２は、図２に示すように筋方向に長い同一の長さのマット状に形成され、保水性に優れた下層の不織布層２ａと上層のロックウール層２ｂとの２層構造に形成され、ロックウール層２ｂの表面にコケが播種植生されている。
このほか、ヘチマ繊維、ヤシ繊維、その他の植物繊維、合成繊維、布（織布、不織布繊維、フリース、フェルト等）を用い、保水性を持つように単独のマット状に形成させもの、これらを複数に積層してマット状に形成したものを用いることができる。
又、コケとしてはスナゴケ、ハイゴケ、スギゴケ等、コケ類全般を使用できる。
【００１８】
そして、前記頂面用マット部材２１の両側に傾斜面用マット部材２２，２２を並べ、これらを柔軟な合成樹脂線材により形成した一枚のメッシュ袋２４で全体的に包み込むと共に、図３に示すように頂面用マット部材２１の側縁と傾斜面用マット部材２２の側縁との境目部分においてメッシュ袋２４の上側部と下側部を縫合や接着や溶着や結着等によって結合させることにより、この結合部２３ａをヒンジ２３として形成させ、かつメッシュ袋２４によってコケの脱落を防止させるようにしている。
実施例では、前記メッシュ袋２４の下側部を不織布層２ａの下面に接着剤やステープル等の金具で留め付けるようにしている。
【００１９】
なお、ヒンジと２３しては、柔軟な帯状布を頂面用マット部材２１の側縁と傾斜面用マット部材２２の側縁との境目部分に取り付けたり、プラスチックや金属等で形成した蝶番を境目部分に取り付けたりすることで形成してもよく、要は傾斜面用マット部材２２，２２と頂面用マット部材２１とを屈折可能に連結させるものであればよい。
【００２０】
この折板屋根用コケ植生マットＭを折板屋根Ｒに施工するに際しては、折板屋根Ｒにおける頂壁１２の上面（壁面）に頂面用マット部材２１を直に敷設させ、前記左右の傾斜壁１１，１１の上向き傾斜面（壁面）に左右の傾斜面用マット部材２２，２２を直に敷設させるもので、各マット部材２１，２２，２２が各壁面に密着するように接着剤や止め具等を用いて固定させてもよいし、折り曲げ状態のまま各マット部材を各壁面に密着させる状態に載置させるだけでもよい。
【００２１】
又、実施例では、前記剣先ボルト９２やその他の留め具９３を利用してワイヤ線３ａを波方向（矢印Ａ方向）に張設させ、このワイヤ線３ａにより頂面用マット部材２１の上面を押え付けることで折板屋根用コケ植生マットＭの剥れ防止を強化させている。
なお、波方向のワイヤ線３ａに加えて筋方向（矢印Ｂ方向）にもワイヤ線３ｂを張設させてもよく、少なくとも波方向にワイヤ線３ａを張設させればよい。
このようにワイヤ線３ａ，３ｂを張設させることによって、ヒンジ２３，２３によって連結された各マット部材２１，２２，２２が浮き上がらないようにしたものであるため、各マット部材２１，２２，２２をあえて接着剤や止め具によって固定しなくとも、単に各壁面上に載置させるだけで良い場合もある。
【００２２】
次に、図４は第２実施例を示すものであり、請求項２に対応した折板屋根用コケ植生マット及び請求項４に対応した折板屋根のコケ緑化構造を示す斜視図である。
【００２３】
この折板屋根用コケ植生マットＮは、折板屋根Ｒにおける底壁１３の上面に敷設するための底面用マット部材２５と、前記折板屋根Ｒにおける左右の傾斜壁１１，１１の上向き傾斜面に敷設するための左右の傾斜面用マット部材２２，２２を備え、この左右の傾斜面用マット部材２２，２２がヒンジ２３，２３によって底面用マット部材２５の両側に屈折可能に連結されている。
【００２４】
この折板屋根用コケ植生マットＮを折板屋根Ｒに施工するに際しては、折板屋根Ｒにおける底壁１３の上面（壁面）に底面用マット部材２５を直に敷設させ、前記左右の傾斜壁１１，１１の上向き傾斜面（壁面）に左右の傾斜面用マット部材２２，２２を直に敷設させるもので、各マット部材２５，２２，２２が各壁面に密着するように接着剤や止め具等を用いて固定させている。
この第２実施例において、その他の構成は前記第１実施例と同様である。
【００２５】
本発明において折板屋根用コケ植生マットは、折板屋根の全体又は一部に敷設できるもので、全ての山部（又は溝部）に対して敷設してもよいし、１つ置きや複数置きに敷設してもよい。
又、折板屋根用コケ植生マットは、その筋方向の長さを折板屋根の筋方向長さと同サイズに形成してもよいし、折板屋根の筋方向長さよりも短サイズに形成してもよく、短サイズの場合には筋方向に継ぎ足して敷設する。
なお、コケの効果的な生育には、コケ植生マットに適度の湿気を持たせておくことが必要になるが、そのための手段として、例えば、屋根にスプリンクラー等の散水装置を設備させ、定期的或いは必要に応じてコケ植生マットに散水させるようにすることができる。
【図面の簡単な説明】
【００２６】
【図１】第１実施例を示すものであり、請求項１に対応した折板屋根用コケ植生マット及び請求項３に対応した折板屋根のコケ緑化構造を示す斜視図である。
【図２】第１実施例の折板屋根用コケ植生マットの展開状態を示す斜視図である。
【図３】第１実施例の折板屋根用コケ植生マットの断面図である。
【図４】第２実施例を示すものであり、請求項２に対応した折板屋根用コケ植生マット及び請求項４に対応した折板屋根のコケ緑化構造を示す斜視図である。
【符号の説明】
【００２７】
１ａ  山部
１ｂ  溝部
１１  傾斜壁
１２  頂壁
１３  底壁
２ａ  不織布層
２ｂ  ロックウール層
２１  頂面用マット部材
２２  傾斜面用マット部材
２３  ヒンジ
２３ａ  結合部
２４  メッシュ袋
２５  底面用マット部材
３ａ  ワイヤ線
３ｂ  ワイヤ線
９０  躯体フレーム
９１  タイトフレーム
９２  剣先ボルト
９３  留め具
Ｍ  折板屋根用コケ植生マット
Ｎ  折板屋根用コケ植生マット
Ｒ  折板屋根
【図１】
2009034002.tif 000003
【図２】
2009034002.tif 000004
【図３】
2009034002.tif 000005
【図４】
2009034002.tif 000006